(57)【要約】【課題】撮像部の向きを変更しても、正しい方向を向いているかの確認を簡単に行うことができる空気調和機を提供すること。【解決手段】向きを変えることができる撮像部と、撮像部で得られた画像に基づいて空気調和機の制御を行う制御部とを備え、撮像部の検知確認を行った場合に検知結果を報知する報知手段を有することで、撮像部による検知範囲を簡単に確認できるので、撮像部の向きを最適な位置に設定して快適な空調を提供することができる。【選択図】図２
2012063074.tif 000002
【特許請求の範囲】
【請求項１】
向きを変えることができる撮像部と、前記撮像部で得られた画像に基づいて空気調和機の制御を行う制御部と、を備えた空気調和機であって、
前記撮像部の検知確認を行った場合に、検知結果を報知する報知手段を有することを特徴とする空気調和機。
【請求項２】
前記報知手段がＬＥＤもしくはブザーにより構成されることを特徴とする、請求項１に記載の空気調和機。
【請求項３】
前記撮像部の画像を表示する表示部を備え、前記表示部に検知結果を表示することを特徴とする、請求項１に記載の空気調和機。
【発明の詳細な説明】
【技術分野】
【０００１】
本発明は、室内機に空調空間内の状況を検出するセンサを設けた空気調和機に関するものである。
【背景技術】
【０００２】
従来の空気調和機では、室内にいる人を検知して、人のいる方向へ風を吹き出すことにより、快適な空調を行うとともに省エネを実現するものがある。
【０００３】
また、人を検出する際の誤検知を防止するために、壁際に吹き付けた温風によって人検知センサが誤検出しないよう、人検知センサの検知方向を変更し、検知領域内に空調風を吹き出すようにフラップのスイング範囲を制限し、人検知センサの向きを細かい角度で変更可能としたものなどがある（例えば特許文献１参照）。
【先行技術文献】
【特許文献】
【０００４】
【特許文献１】特許第４２６６４８２号公報
【発明の概要】
【発明が解決しようとする課題】
【０００５】
しかしながら、前記従来の手法では、センサの方向を変えた結果、検知すべき方向に正確に設定できたかを確認することについては言及がなく、センサでの検知方法については改善の余地があると言える。
【０００６】
本発明は、センサの向きを確認することができるもので、正確に検知すべき方向を向けることができる空気調和機を提供することを目的とする。
【課題を解決するための手段】
【０００７】
前記従来の課題を解決するために、本発明の空気調和機は、向きを変えることができる撮像部と、撮像部で得られた画像に基づいて空気調和機の制御を行う制御部とを備え、撮像部の検知確認を行った場合に、検知結果を報知する報知手段を有するもので、撮像部検知したい範囲を向いていることが確認でき、最適な空調を提供することができる。
【０００８】
また、本発明の空気調和機は、検知結果の報知をＬＥＤや報知音で行うことで、誰でも簡単に検知の確認が可能で、使用者が向きの確認を容易に行えるようにできるものである。
【０００９】
また、本発明の空気調和機は、撮像部の画像を表示し、その画像から検知方向の確認ができることで、一度の確認で検知方向が正しいかどうかを確認でき、向きの設定作業を素早く行えるようにできるものである。
【発明の効果】
【００１０】
本発明の空気調和機は、撮像部の向きを検知したい方向に設定できたかを確認できるため、使用者に快適な空調を提供することができる。
【図面の簡単な説明】
【００１１】
【図１】本発明の第１の実施の形態における空気調和機の構成図
【図２】本発明の第１の実施の形態における空気調和機のブロック図
【図３】本発明の第１の実施の形態における検知範囲の概念図
【図４】本発明の第１の実施の形態における空気調和機のフローチャート
【図５】本発明の第２の実施の形態における空気調和機のブロック図
【図６】本発明の第２の実施の形態におけるリモコンの概念図
【図７】本発明の第２の実施の形態における空気調和機のフローチャート
【発明を実施するための形態】
【００１２】
第１の発明は、撮影向きを変えることができる撮像部と、撮像部の画像から空気調和機の制御等を行う制御部と、検知範囲を確認する検知確認部と、検知確認部により要求された検知範囲確認を制御部が行い、制御部が出した検知範囲確認結果を報知する検知範囲報知手段をと有した空気調和機であり、報知範囲を確認することで、撮像部の向きが正しく検知したい方向を向いていることが確認でき、撮像部を十分活用して最適な空調を提供することを目的とするものである。
【００１３】
第２の発明は、第１の発明において、検知範囲が検知したい範囲にあることの報知をＬＥＤや報知音で行うことで、容易に確認できる空気調和機を提供することを目的とするものである。
【００１４】
第３の発明は、第１の発明において、撮像部の画像を表示することで検知範囲を確認できようにすることで、検知方向の確認が一度でよく、誰でも簡単にできる空調を提供することを目的とするものである。
【００１５】
以下、本発明の実施の形態について、図面を参照しながら説明する。なお、この実施の形態によって本発明が限定されるものではない。
【００１６】
（実施の形態１）
以下、本発明の実施の形態１について、図面を参照しながら説明する。
【００１７】
図１は、本発明の第１の実施の形態における空気調和機の構成図を示すものである。
【００１８】
図１において、室内機１は前面パネル２を設け、前記前面パネル２には、室内空間を撮影する撮像部３を設ける。撮像部３は破線で示す垂直方向軸（Ａ）を中心に回転が可能である。
【００１９】
図２、図３、図４を用いて動作を説明する。図２は本発明の実施の形態における空気調和機のブロック図であり、撮像部３で撮影された画像は、制御部５に送られ、送られた画像をもとに空気調和機の制御を行う。検知確認部６は、撮像部が検知していることを確認するよう制御部５に要求する。制御部５は、検知確認部６から撮像部の検知確認要求があると、撮像部の画像を確認し、検知しているか、していないかを判断し、判断の結果を検知範囲報知手段７に報知するよう指示を出す。
【００２０】
図３は、本発明の第１の実施の形態における検知範囲の概念図であり、図４は本発明の実施の形態における処理の流れを示すフロー図である。１１は空気調和機で空調したい空間、つまり空気調和機が設置された部屋を示しており、この部屋１１と重なるように、検知したいエリアである検知エリア１２がある。
【００２１】
次に、本実施の形態における検知フローについて説明する。まず、空気調和機を部屋１１の図面上左下隅に設定し、撮像部３が部屋１１の全範囲を撮影するよう向きを調節する（ステップ１０１）。この場合、検知位置Ａ１３と検知位置Ｂ１４の２箇所で検知範囲に入っているかどうかの確認をすればよい。
【００２２】
本実施の形態では、検知確認部６を空気調和機のリモコンのボタンに設けるとする。その場合使用者は撮像部３の向きを変えた後、検知範囲を確認したい検知位置Ａ１３に立ち、リモコンで空気調和機の温度や風向等を設定する時同じように、リモコンを撮像部３に向けて検知確認部６のボタンを押す（ステップ１０２）。これによって、リモコンから温度や風向設定を行うときと同様赤外線が送信される。この赤外線を撮像部３が受光できれば、リモコンがある位置、すなわち使用者が検知したい位置、今の場合検知位置Ａ１３での検知が可能となる。そのため、検知確認部６が室内機に向けて押されると、制御部５は、撮像部３の画像上にリモコンの赤外線が撮影されているか、撮像部３の画像から確認し、赤外線の検知を確認する（ステップ１０３）。
【００２３】
赤外線が検知できれば、検知位置Ａ１３は検知範囲であると判断し（ステップ１０４）、制御部５は検知範囲報知手段７に検知範囲に入っていることを報知するよう指示を出す（ステップ１０５）。逆に撮像部３の画像に赤外線が写らない場合、赤外線が検知できないと制御部５で判断し（ステップ１０３）、検知位置Ａ１３は検知範囲外であると判断する（ステップ１０６）。そして、制御部５は検知範囲報知手段７に検知範囲外であることを報知するよう指示を出す（ステップ１０７）。
【００２４】
検知位置Ｂ１４でも検知位置Ａ１３と同様の操作を行うことで、検知範囲の確認を行うことができる。検知結果の報知方法は、報知音やＬＥＤ等の点灯点滅で知らせることができ、それらを室内機に設置してもリモコンに設置してもよい。
【００２５】
以上のように本実施の形態１においては、撮像部３が正しく検知したい範囲を検知していることが確認でき、検知できずに空調の快適性が損なわれることを防ぐことができる。
【００２６】
（実施の形態２）
図５は、本発明の実施の形態２における空気調和機のブロック図である。
【００２７】
撮像部３で撮影された画像は、制御部５に送られ、送られた画像をもとに空気調和機の制御を行う。さらに、検知確認部６は、撮像部３が検知していることを確認するよう制御部５に要求する。ここまでは実施の形態１と同様である。
【００２８】
実施の形態２では検知確認部６から検知の確認要求があると、制御部５は、撮像部の画像を表示部６２に表示する。
【００２９】
図６、図７を用いて動作を説明する。図６は空気調和機のリモコンを示す図であり、図７は本発明の実施の形態２に置ける処理の流れを示すフロー図である。
【００３０】
図６において、６１はリモコンで、設定状態を表示する液晶等の画面と各種設定ボタンを備えており、設定ボタンの１つが検知確認部６である。６２は空気調和機の設定内容を表示するための液晶等の画面であり、設置範囲を確認するときには、撮像部３が撮影した画像を表示する。使用者が検知範囲を確認する時には、撮像部３の向きを変え（ステップ２０１）、検知確認部６を押す（ステップ２０２）。検知確認部６から検知確認要求を受けると、制御部５は撮像部３の画像をリモコン（表示部）６２に送信し（ステップ２０３）、リモコン６１の表示部６２に画像を表示する（ステップ２０４）。使用者は表示部６２の画像を確認し、検知したい範囲を撮像部３が検知していることを確認できる（ステップ２０５）。
【００３１】
表示部６２の画像が検知したい範囲を表示していない場合、再度撮像部３の向きを変え（ステップ２０１）、検知確認部６を押す（ステップ２０２）以降の動作を、表示部６２
に検知したい範囲が表示されるまで繰り返す。
【００３２】
尚、表示部６２は、リモコンでなく室内機に設けてもよいし、設置工事時に専用の表示治具を接続してもよい。
【００３３】
以上のように本実施の形態２においては、撮像部３が検知したい範囲を撮影しているかどうかを撮影した画像で確認できるので、確認作業は一度よいし、誰でも容易に確認ができるので撮像部の向きの変更が容易に行うことができるものである。
【産業上の利用可能性】
【００３４】
以上のように、本発明にかかる空気調和機は、撮像部の向きを変更でき、その向きが検知したい方向を向いているかを確認できることで、空気調和機が制御する空間を正しく検知することができ、使用者に快適な空調を提供することができるものである。
【符号の説明】
【００３５】
１  室内機
２  前面パネル
３  撮像部
５  制御部
６  検知確認部
７  検知範囲報知手段
１１  部屋（室内空間）
１２  検知エリア
６２  表示部
【図２】
2012063074.tif 000003
【図４】
2012063074.tif 000004
【図５】
2012063074.tif 000005
【図６】
2012063074.tif 000006
【図７】
2012063074.tif 000007
【図１】
2012063074.tif 000008
【図３】
2012063074.tif 000009